(57)【要約】【課題】大きさの異なる物品を安定して収納できるようにする。【解決手段】収納装置１は、物品が収納される凹部１０を有する収納部材１１と、凹部１０の開放口１０ａよりも大きく形成され、該開放口１０ａを覆うように設けられるカバー部材１２とを備えている。カバー部材１２には、大型開口部２６と小型開口部２７〜２９とが間隔をあけて形成されている。カバー部材１２は、大型開口部２６が凹部１０の開放口１０ａに重なる状態と、小型開口部２７〜２９が凹部１０の開放口１０ａに重なる状態とに切り替えられるようになっている。【選択図】図２
2009241759.tif 000002
【特許請求の範囲】
【請求項１】
物品が収納される凹部を有する収納部材と、
上記凹部の開放口よりも大きく形成され、該開放口を覆うように設けられるカバー部材とを備え、
上記カバー部材には、形状の異なる第１開口部と第２開口部とが間隔をあけて形成され、
上記カバー部材は、上記第１開口部が上記凹部の開放口に重なる第１の状態と、上記第２開口部が上記凹部の開放口に重なる第２の状態とに切り替えられることを特徴とする収納装置。
【請求項２】
請求項１に記載の収納装置において、
収納部材の凹部は、上方に向けて開放するように形成され、
カバー部材は、上下方向に延びる軸線周りに回動可能に設けられ、
第１開口部及び第２開口部は上記軸線の周方向に離れていることを特徴とする収納装置。
【請求項３】
請求項２に記載の収納装置において、
収納部材は、上下方向に延びる回動軸と、第１凹部と、該第１凹部から回動軸の周方向に離れて位置付けられ、該第１凹部とは異なる形状の第２凹部とを有していることを特徴とする収納装置。
【発明の詳細な説明】
【技術分野】
【０００１】
本発明は、例えば車室内等に配設される収納装置に関する。
【背景技術】
【０００２】
従来より、自動車等の車室内のコンソールには、物品を収納するための収納装置が設けられている。この種の収納装置として、例えば、特許文献１に開示されているように、複数種の凹部を有する回転部材を水平軸周りに回転可能にコンソールに取り付けて構成されたものが知られている。コンソールには、回転部材の複数の凹部のうち、１つの凹部を開放するための開口部が形成されている。そして、使用時には、回転部材を回転させて所望の凹部をコンソールの開口部に一致させることで、その凹部を使用することができ、また、回転部材の他の凹部を使用したいときには、回転部材を回転させてその凹部を開口部に一致させることで、凹部を選択的に使用することができるようになっている。
【特許文献１】特開昭６１−８１８３８号公報
【発明の開示】
【発明が解決しようとする課題】
【０００３】
しかしながら、上記特許文献１の収納装置では、コンソールの開口部に合う大きさの物品を収納した場合には、その物品を開口部周縁で保持して安定させることができるが、コンソールの開口部は１つであるため、小さい物品を凹部に収容した場合には、その物品をコンソールの開口部周縁で保持することはできず、物品が不安定になってしまう。
【０００４】
本発明は斯かる点に鑑みてなされたものであり、その目的とするところは、大きさの異なる物品を収納状態で安定させることにある。
【課題を解決するための手段】
【０００５】
上記目的を達成するために、第１の発明では、物品が収納される凹部を有する収納部材と、上記凹部の開放口よりも大きく形成され、該開放口を覆うように設けられるカバー部材とを備え、上記カバー部材には、形状の異なる第１開口部と第２開口部とが間隔をあけて形成され、上記カバー部材は、上記第１開口部が上記凹部の開放口に重なる第１の状態と、上記第２開口部が上記凹部の開放口に重なる第２の状態とに切り替えられる構成とする。
【０００６】
第２の発明では、第１の発明において、収納部材の凹部は、上方に向けて開放するように形成され、カバー部材は、上下方向に延びる軸線周りに回動可能に設けられ、第１開口部及び第２開口部は上記軸線の周方向に離れている構成とする。
【０００７】
第３の発明では、第２の発明において、収納部材は、上下方向に延びる回動軸と、第１凹部と、該第１凹部から回動軸の周方向に離れて位置付けられ、該第１凹部とは異なる形状の第２凹部とを有している構成とする。
【発明の効果】
【０００８】
第１の発明によれば、カバー部材を第１の状態にすると、該カバー部材の第１開口部が凹部の開放口に重なるので、物品を第１開口部から凹部に収納できる。一方、カバー部材を第２の状態にすると、該カバー部材の第２開口部が凹部の開放口に重なり、同様にして物品を凹部に収納できる。第１開口部と第２開口部との形状は互いに異なっているので、収納しようとする物品の大きさに応じてカバー部材の状態を切り替えることにより、大きさの異なる物品を第１開口部及び第２開口部の周縁で保持でき、収納状態で安定させることができる。
【０００９】
第２の発明によれば、カバー部材を軸線周りに回動させるだけで、第１開口部が凹部の開放口に重なる第１の状態と、第２開口部が凹部の開放口に重なる第２の状態とに切り替えることができるので、切り替え操作を簡単にすることができる。
【００１０】
第３の発明によれば、収納部材を回動軸周りに回動させることにより、第１凹部の開放口を第１開口部に合わせることができ、また、第２凹部の開放口を第１開口部に合わせることができる。つまり、１つの開口部に対し、形状の異なる凹部の開放口を合わせることができるので、様々な形状の物品を収納することができる。
【発明を実施するための最良の形態】
【００１１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１２】
《発明の実施形態１》
図１は、本発明の実施形態に係る収納装置１を備えるインストルメントパネル２の斜視図である。この収納装置１は、自動車の車室内に設けられたインストルメントパネル２に取り付けられている。
【００１３】
この実施形態の説明では、収納装置１の構造を説明する前にインストルメントパネル２の構造について説明する。尚、この実施形態の説明では、説明の便宜を図るために、車両前側を単に「前」といい、後側を単に「後」といい、車両左側を単に「左」といい、車両右側を単に「右」というものとする。
【００１４】
インストルメントパネル２の左右方向中央部には、空調装置や音響装置用のコントロール部３が設けられている。インストルメントパネル２のコントロール部３よりも下側には、収納装置１を配設するための収納装置配設部４が車両後方へ向けて膨出するように形成されている。収納装置配設部４の上壁部５は、略水平に延びている。上壁部５の周縁は、円弧状に湾曲している。上壁部５の周縁には、下方へ突出して該周縁に沿って湾曲して延びる周壁部６が連続している。収納装置１は、周壁部６の内方に位置付けられている。周壁部６の前端部は、コントロール部３よりも前方へ延びており、収納装置１の側面が外部から見えないようになっている。
【００１５】
収納装置配設部４の上壁部５には、貫通孔５ａが形成されている。貫通孔５ａの前縁部は左右方向に延びる一方、左縁部、後縁部及び右縁部は上壁部５の周縁に沿うように円弧状に湾曲して延びており、従って、貫通孔５ａは平面視で略半円形状となっている。貫通孔５ａの前縁部の左右方向中央部には、後方へ向けて延出する延出部５ｂが形成されている。貫通孔５ａの前縁部の左右両端部には、前方に向けて切り欠かれた左側切欠部５ｃ及び右側切欠部５ｄがそれぞれ形成されている。
【００１６】
次に、収納装置１の構造について説明する。図２に示すように、収納装置１は、物品（図示せず）が収納される凹部１０を有する収納部材１１と、凹部１０の開放口１０ａを覆うように設けられるカバー部材１２とを備えている。これら収納部材１１及びカバー部材１２は、樹脂製である。凹部１０の開放口１０ａは、上方に向けて開放し、貫通孔５ａと略相似な半円形状をなしている。凹部１０内の前側の面には、左右方向中央部に凹部１０内へ向けて膨出する膨出部１０ｂが形成されている。膨出部１０ｂは、凹部１０の上下方向（深さ方向）両端に亘る形状となっている。凹部１０の開放口１０ａの周縁には、フランジ１４が形成されている。フランジ１４の前縁部には、前方へ突出する２つの前側締結部１５、１５が左右方向に間隔をあけて設けられている。また、フランジ１４の後縁部には、後方へ突出する２つの後側締結部１６、１６が同様に設けられている。これら前側締結部１５及び後側締結部１６には、ネジ１７が挿通する孔部１５ａ、１６ａがそれぞれ形成されている。尚、ネジ１７は、インストルメントパネル２の収納装置配設部４の上壁部５下面に形成されたボス（図示せず）に螺合するようになっている。
【００１７】
フランジ１４の膨出部１０ｂに対応する部分には、カバー部材１２を回動可能に支持する支軸２０が上方に突出するように形成されている。図３にも示すように、支軸２０の中心部には、カバー部材１２を収納部材１１に取り付けるためのネジ２１が螺合する螺合孔２０ａが軸線方向に延びるように形成されている。
【００１８】
図２に示すように、カバー部材１２は、凹部１０の開放口１０ａよりも大きい円形板状をなし、水平方向に延びるように配置されている。カバー部材１２の中心部には、ブッシュ２２が挿通するブッシュ挿通孔２３が形成されている。ブッシュ２２には、ネジ２１が挿通するようになっている。
【００１９】
図３に示すように、カバー部材１２の下面の中心部には、支軸２０が挿入される下側窪み部２４がブッシュ挿通孔２３を囲むように形成されている。支軸２０の外径は、支軸２０が下側窪み部２４に挿入された状態で相対回動可能となるように下側窪み部２４の内径よりも若干小さめに設定されている。カバー部材１２の上面には、ブッシュ挿通孔２３を囲むように上側窪み部２５が形成されている。この上側窪み部２５には、ネジ２１の頭部が入るようになっている。
【００２０】
図２に示すように、カバー部材１２には、大型開口部２６（本発明の第２開口部に相当）と、大型開口部２６から周方向に離れた部位に開口する第１〜第３小型開口部２７〜２９（本発明の第１開口部に相当）とが形成されている。大型開口部２６は、凹部１０の開放口１０ａと略相似な半円形状である。第１小型開口部２７は、ブッシュ挿通孔２３を挟んで大型開口部２６とは反対側に位置しており、大型開口部２６の中心角よりも小さい中心角を有する扇形をなしている。第２小型開口部２８及び第３小型開口部２９は、第１小型開口部２７の両側に位置しており、第１小型開口部２７よりも小さい円形状である。尚、第１〜第３小型開口部２７〜２９の形状は、上記した形状に限られるものではなく、任意に設定可能である。また、第１〜第３小型開口部２７〜２９の他に開口部を形成してもよい。
【００２１】
また、カバー部材１２の上面には、大型開口部２６と第２小型開口部２８との間に摘み部３０が上方へ突出するように形成されている。この摘み部３０は、図１に示すように、収納装置１がインストルメントパネル２に取り付けられた状態でインストルメントパネル２の左側及び右側切欠部５ｃ、５ｄの一方の内方に位置するように配置されている。
【００２２】
次に、上記のように構成された収納装置１の組み立て手順について説明する。まず、カバー部材１２のブッシュ挿通孔２３にブッシュ２２を挿入するとともに、カバー部材１２を、収納部材１１の開放口１０ａを覆うように配置して収納部材１１の支軸２０をカバー部材１２の下側窪み部２４に挿入する。その後、ネジ２１をブッシュ２２内に挿入して支軸２０の螺合孔２０ａに螺合させると、カバー部材１２が収納部材１１と一体化した状態で、支軸２０周りに回動可能となる。
【００２３】
しかる後、収納装置１をインストルメントパネル２に取り付ける。すなわち、収納装置１をインストルメントパネル２の収納装置配設部４内に配置し、前側締結部１５及び後側締結部１６の孔部１５ａ、１６ａにネジ１７をそれぞれ挿通して収納装置配設部４の上壁部５裏面のボスに螺合させる。これにより、収納装置１は、インストルメントパネル２に取り付けられ、収納部材１１の開放口１０ａが貫通孔５ａと一致するようになる。
【００２４】
上記のようにしてインストルメントパネル２に取り付けられた収納装置１を使用する場合には、摘み部３０を持ってカバー部材１２を右側へ回動させ、図１に示すように、該摘み部３０を右側切欠部５ｄ内に配置すると、第１〜第３小型開口部２７〜２９が収納部材１１の開放口１０ａに重なるようになる。このときのカバー部材１２の状態が本発明の第１の状態に相当する。これにより、物品を第１〜第３小型開口部２７〜２９から凹部１０に収納することが可能になり、収納した物品を第１〜第３小型開口部２７〜２９の周縁で保持できる。
【００２５】
一方、第１〜第３小型開口部２７〜２９よりも大きな物品を収納したい場合には、摘み部３０を持ってカバー部材１２を左側へ回動させ、摘み部３０を左側切欠部５ｃ内に配置する。すると、大型開口部２６が開放口１０ａに重なるようになる。このときのカバー部材１２の状態が本発明の第２の状態に相当する。これにより、大きな物品を大型開口部２６から凹部１０に収納することが可能になり、収納した物品を大型開口部２６の周縁で保持できる。
【００２６】
以上説明したように、この実施形態１に係る収納装置１によれば、大型開口部２６と小型開口部２７〜２９とが形成されたカバー部材１２を、大型開口部２６が凹部１０の開放口１０ａに重なる状態と、小型開口部２７〜２９が凹部１０の開放口１０ａに重なる状態とに切り替え可能にしたので、大きさの異なる物品を収納状態で安定させることができる。
【００２７】
また、カバー部材１２を回動操作するだけで、大きさの異なる物品に対応することができるので、切り替え操作を簡単することができる。
【００２８】
《発明の実施形態２》
図４〜６は、本発明の実施形態２に係る収納装置１を示すものである。この実施形態２の収納装置１は、実施形態１のものに対して、収納部材１１の形状が異なっている点と、収納部材１１が回動するようになっている点で異なるだけなので、以下、実施形態１と異なる部分を詳細に説明する。
【００２９】
すなわち、図５に示すように、収納部材１１は、平面視で略円形状とされており、上面の中心部には、上方へ突出する回動軸４０が形成されている。図６に示すように、回動軸４０の中心部には、軸線方向に延びる貫通孔４１が形成されており、この貫通孔４１には、収納装置１をインストルメントパネル２に固定するためのネジ４２が挿通するようになっている。また、図５に示すように、収納部材１１には、実施形態１の凹部１０と同様な第１凹部４３と、第１凹部４３とは異なる形状の第２凹部４４とが形成されている。第２凹部４４は第１凹部４３から回動軸４０の周方向に離れて位置付けられており、第２凹部４４の深さは第１凹部４３の深さよりも浅く設定されている。また、第２凹部４４の内部には、上下方向に延びる２枚の仕切板４５、４５が設けられている。また、カバー部材１２の中心部には、回動軸４０が挿通する軸挿通孔４６が形成されている。
【００３０】
一方、インストルメントパネル２の収納装置配設部４の上壁部５には、延出部５ｂの左右方向中央部を貫通する取付孔５ｅ（図６に示す）が形成されている。収納部材１１の回動軸４０は、この取付孔５ｅから上壁部５の上方へ突出している。取付孔５ｅと回動軸４０との間には、ブッシュ６０が設けられている。ブッシュ６０には鍔部６０ａが形成されており、この鍔部６０ａは、収納装置配設部４の延出部５ｂの取付孔５ｅ周縁部に嵌っている。
【００３１】
また、収納装置配設部４の延出部５ｂとカバー部材１２との間には、第１リング６１が配設されており、延出部５ｂとカバー部材１２との間に隙間が形成されるようになっている。さらに、カバー部材１２と収納部材１１との間には、第２リング６１が配設されており、カバー部材１２と収納部材１１との間に隙間が形成されるようになっている。
【００３２】
収納装置配設部４の上壁部５上面には、ノブ５０が配置されている。ノブ５０は、収納装置１を構成するものであり、回動軸４０の貫通孔４１に下方から挿通されたネジ４２によって回動軸４０に締結固定されている。従って、ノブ５０を回すことで、収納部材１１がカバー部材１２とは独立して回動するようになっている。尚、回動軸４０は、ノブ５０に嵌合させるようにしてもよいし、接着するようにしてもよい。
【００３３】
上記のように構成された収納装置１を使用する場合には、例えば、図４に示すように、収納部材１１の第１凹部４３をインストルメントパネル２の貫通孔５ａに一致させた状態で、カバー部材１２の摘み部３０を持ってカバー部材１２を右側に回動させて第１〜第３小型開口部２７〜２９を第１凹部４３の開放口４３ａに重ねると、物品を第１〜第３小型開口部２７〜２９から第１凹部４３に収納することが可能になる。また、この状態から、ノブ５０のみを回して収納部材１１の第２凹部４４をインストルメントパネル２の貫通孔５ａに一致させると、物品を第１〜第３小型開口部２７〜２９から第２凹部４４に収納することが可能になる。
【００３４】
また、カバー部材１２のみを回動させることで、実施形態１と同様に、大型開口部２６が第１凹部４３の開放口４３ａに重なる状態と、第１〜第３小型開口部２７〜２９が第１凹部４３の開放口４３ａに重なる状態とに切り替えることができるとともに、大型開口部２６が第２凹部４４の開放口４４ａに重なる状態と、第１〜第３小型開口部２７〜２９が第２凹部４４の開放口４４ａに重なる状態とに切り替えることができる。
【００３５】
以上説明したように、この実施形態２の収納装置１によれば、実施形態１のものと同様に大型開口部２６と小型開口部２７〜２９とが形成されたカバー部材１２を回動可能にしたので、大きさの異なる物品を収納状態で安定させることができる。
【００３６】
また、収納部材１１に形状の異なる第１凹部４３及び第２凹部４４を形成し、収納部材１１を回動させることによって第１凹部４３と第２凹部４４とを切り替えて使用できるようにしたので、様々な形状の物品を収納することができ、利便性を向上させることができる。
【００３７】
尚、この実施形態１、２では、カバー部材１２に大型開口部２６と小型開口部２７〜２９とが形成されている場合について説明したが、これに限らず、大型開口部２６と小型開口部２７〜２９と間に別の開口部を形成し、この別の開口部が凹部１０、４３、４４に重なるようにしてもよい。
【００３８】
また、凹部１０、４３、４４の大きさは、上記したものより小さくしてもよい。
【００３９】
また、上記実施形態１、２では、カバー部材１２に大型開口部２６と小型開口部２７〜２９を形成し、カバー部材１２の状態を２通りに切り替えるようにしているが、これに限らず、カバー部材１２に開口部を追加して、カバー部材１２の状態を３通り以上に切り替えるようにしてもよい。また、カバー部材１２には、凹部１０、４３、４４を閉塞する閉塞部を設けてもよい。
【００４０】
また、上記実施形態２では、収納部材１１に２つの凹部４３、４４を形成し、収納部材１１の状態を２通りに切り替えるようにしているが、これに限らず、収納部材１１に凹部を追加して、収納部材１１の状態を３通り以上に切り替えるようにしてもよい。
【００４１】
また、上記実施形態１、２では、カバー部材１２を回動させることにより該カバー部材１２の状態を切り替えるようにしているが、これに限らず、図示しないが、カバー部材を左右方向や前後方向にスライド可能にインストルメントパネルに支持し、スライドさせることによってカバー部材の状態を切り替えるようにしてもよい。
【００４２】
また、本発明の収納装置１は、インストルメントパネル２以外にもセンターコンソール等の内装部材に設けることができる。
【産業上の利用可能性】
【００４３】
以上説明したように、本発明に係る収納装置は、例えば、自動車のインストルメントパネルに配設するのに適している。
【図面の簡単な説明】
【００４４】
【図１】実施形態１に係る収納装置を備えるインストルメントパネルの斜視図である。
【図２】実施形態１に係る収納装置の分解斜視図である。
【図３】図１のIII−III線における断面図である。
【図４】実施形態２に係る図１相当図である。
【図５】実施形態２に係る図２相当図である。
【図６】図４のVI−VI線における断面図である。
【符号の説明】
【００４５】
１            収納装置
１０          凹部
１０ａ        開放口
１１          収納部材
１２          カバー部材
２６          大型開口部（第２開口部）
２７〜２９    第１〜第３小型開口部（第１開口部）
４０          回動軸
４３          第１凹部
４４          第２凹部
【図１】
2009241759.tif 000003
【図２】
2009241759.tif 000004
【図３】
2009241759.tif 000005
【図４】
2009241759.tif 000006
【図５】
2009241759.tif 000007
【図６】
2009241759.tif 000008